(57)【要約】    【課題】  所有者以外の人が記録媒体を持ち出してしまうトラブルや危険を防止する。    【解決手段】  情報処理装置本体１に装着された記録媒体ユニット２０，３０を情報処理装置本体１から離脱させるための離脱手段（２−３，４−２、５−２等）と、該離脱手段を動作させる指令を自己のＩＤとともに送出するリモコン５０，６０，７０と、記録媒体ユニットのＩＤとリモコンのＩＤとを関連付けて格納されて記憶装置とを備えた情報処理装置において、リモコンから指令及びリモコンＩＤを受信したとき、記憶装置にリモコンＩＤに関連付けられた記録媒体ユニットＩＤが格納され、かつ記録媒体ユニットＩＤの示す記録媒体ユニットが情報処理装置に装着されているとき、前記離脱手段を動作させる。【選択図】      図２
2005301605.tif 000002
【特許請求の範囲】
【請求項１】
情報記録媒体を装着可能な情報処理装置において、
前記情報処理装置に装着された情報記録媒体を前記情報処理装置から離脱させるための離脱手段と、
前記離脱手段を動作させるための指令を自己の識別情報とともに送出する指令送出手段と、
情報記録媒体の識別情報である第１の識別情報と指令送出手段の識別情報である第２の識別情報とを関連付けて格納する格納手段と、
前記指令送出手段から前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別手段と、
前記判別手段によって、前記格納手段に前記第２の識別情報に関連付けられた第１の識別情報が格納され、かつ該第１の識別情報の示す情報記録媒体が前記情報処理装置に装着されていると判別されたとき、前記離脱手段を動作させる制御手段と
を有することを特徴とする情報処理装置。
【請求項２】
前記離脱手段は、情報記録媒体が挿入される前記情報処理装置の開口部を覆うとともに施錠可能な扉に対して開錠を行なう開錠手段と、前記開口部に挿入された情報記録媒体をユーザ操作に従って排出する排出手段とを含むことを特徴とする請求項１記載の情報処理装置。
【請求項３】
前記指令送出手段は、ユーザが携行できる形態の装置であることを特徴とする請求項１記載の情報処理装置。
【請求項４】
前記格納手段は、情報記録媒体の識別情報である第１の識別情報と指令送出手段の識別情報である第２の識別情報とをユーザによる入力操作によって受け取り、格納することを特徴とする請求項１記載の情報処理装置。
【請求項５】
情報記録媒体は、該情報記録媒体の識別情報である第１の識別情報と、該情報記録媒体に予め関連付けられた指令送出手段の識別情報である第２の識別情報とを記憶し、
前記格納手段は、情報記録媒体の識別情報である第１の識別情報と指令送出手段の識別情報である第２の識別情報とを該情報記録媒体から入手し、格納することを特徴とする請求項１記載の情報処理装置。
【請求項６】
情報記録媒体に対して読み書き処理を行う処理手段を更に有し、
前記処理手段に対して電源供給を遮断しているときでも、前記離脱手段、前記指令送出手段、前記判別手段、及び前記制御手段に対しては、電源供給を常時行なうようにすることを特徴とする請求項１記載の情報処理装置。
【請求項７】
前記制御手段は、前記処理手段の動作が終了したことを確認した上で、前記離脱手段を動作させることを特徴とする請求項６記載の情報処理装置。
【請求項８】
情報記録媒体内に前記処理手段の動作を司るプログラムを格納することを特徴とする請求項７記載の情報処理装置。
【請求項９】
複数の情報記録媒体を装着可能な情報処理装置において、
前記情報処理装置に装着された情報記録媒体を前記情報処理装置から離脱させるための離脱手段と、
前記離脱手段を動作させるための指令を自己の識別情報とともにそれぞれ送出する複数の指令送出手段と、
各情報記録媒体の識別情報である第１の識別情報と各指令送出手段の識別情報である第２の識別情報とを関連付けて格納する格納手段と、
前記複数の指令送出手段の１つから前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別手段と、
前記判別手段によって、前記格納手段に前記第２の識別情報に関連付けられた第１の識別情報が格納され、かつ該第１の識別情報の示す情報記録媒体が前記情報処理装置に装着されていると判別されたとき、前記離脱手段を動作させる制御手段と
を有することを特徴とする情報処理装置。
【請求項１０】
前記離脱手段が複数備えられ、各離脱手段は、複数の情報記録媒体がそれぞれ挿入される前記情報処理装置の複数の開口部を覆うとともに施錠可能な１つの扉に対して開錠を行なう開錠手段と、対応する開口部に挿入された情報記録媒体をユーザ操作に従って排出する排出手段とを含むことを特徴とする請求項９記載の情報処理装置。
【請求項１１】
前記排出手段は、前記制御手段から前記離脱手段を動作させる指令が送られているときのみ、ユーザ操作に従うことを特徴とする請求項１０記載の情報処理装置。
【請求項１２】
前記離脱手段が複数備えられ、各離脱手段は、複数の情報記録媒体がそれぞれ挿入される前記情報処理装置の各開口部をそれぞれ覆うとともにそれぞれに施錠可能な複数の扉のうちの対応する１つに対して開錠を行なう開錠手段と、対応する開口部に挿入された情報記録媒体をユーザ操作に従って排出する排出手段とを含むことを特徴とする請求項９記載の情報処理装置。
【請求項１３】
複数の情報記録媒体を装着可能な情報処理装置において、
複数の情報記録媒体がそれぞれ挿入される複数の開口部と、
前記複数の開口部をそれぞれ覆うとともにそれぞれに施錠可能な複数の扉と、
前記複数の扉のそれぞれに対して施錠及び開錠を行なう複数の施錠開錠手段と、
前記複数の施錠開錠手段をそれぞれ動作させるための指令を自己の識別情報とともにそれぞれ送出する複数の指令送出手段と、
各情報記録媒体の識別情報である第１の識別情報と各指令送出手段の識別情報である第２の識別情報とを関連付けて格納する格納手段と、
前記複数の指令送出手段の１つから前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別手段と、
前記判別手段によって、前記格納手段に前記第２の識別情報に関連付けられた第１の識別情報が格納され、かつ該第１の識別情報の示す情報記録媒体が前記情報処理装置に装着されていると判別されたとき、前記複数の施錠開錠手段のうちの対応する１つを動作させる制御手段と
を有することを特徴とする情報処理装置。
【請求項１４】
前記制御手段は、前記判別手段によって前記格納手段に前記第１及び第２の識別情報が格納されていないと判別されたとき、前記複数の施錠開錠手段のすべてを動作させることを特徴とする請求項１３記載の情報処理装置。
【請求項１５】
情報記録媒体を装着可能な情報処理装置であって、該情報処理装置に装着された情報記録媒体を該情報処理装置から離脱させるための離脱手段と、該離脱手段を動作させるための指令を自己の識別情報とともに送出する指令送出手段と、情報記録媒体の識別情報である第１の識別情報と指令送出手段の識別情報である第２の識別情報とを関連付けて格納された格納手段とを備えた情報処理装置に適用されるセキュリティ管理方法において、
前記指令送出手段から前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別ステップと、
前記判別ステップによって、前記格納手段に前記第２の識別情報に関連付けられた第１の識別情報が格納され、かつ該第１の識別情報の示す情報記録媒体が前記情報処理装置に装着されていると判別されたとき、前記離脱手段を動作させる制御ステップと
を有することを特徴とするセキュリティ管理方法。
【請求項１６】
複数の情報記録媒体を装着可能な情報処理装置であって、該情報処理装置に装着された情報記録媒体を該情報処理装置から離脱させるための離脱手段と、該離脱手段を動作させるための指令を自己の識別情報とともにそれぞれ送出する複数の指令送出手段と、各情報記録媒体の識別情報である第１の識別情報と各指令送出手段の識別情報である第２の識別情報とを関連付けて格納された格納手段とを備えた情報処理装置に適用されるセキュリティ管理方法において、
前記複数の指令送出手段の１つから前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別ステップと、
前記判別ステップによって、前記格納手段に前記第２の識別情報に関連付けられた第１の識別情報が格納され、かつ該第１の識別情報の示す情報記録媒体が前記情報処理装置に装着されていると判別されたとき、前記離脱手段を動作させる制御ステップと
を有することを特徴とするセキュリティ管理方法。
【請求項１７】
複数の情報記録媒体を装着可能な情報処理装置であって、複数の情報記録媒体がそれぞれ挿入される複数の開口部と、該複数の開口部をそれぞれ覆うとともにそれぞれに施錠可能な複数の扉と、該複数の扉のそれぞれに対して施錠及び開錠を行なう複数の施錠開錠手段と、該複数の施錠開錠手段をそれぞれ動作させるための指令を自己の識別情報とともにそれぞれ送出する複数の指令送出手段と、各情報記録媒体の識別情報である第１の識別情報と各指令送出手段の識別情報である第２の識別情報とを関連付けて格納された格納手段とを備えた情報処理装置に適用されるセキュリティ管理方法において、
前記複数の指令送出手段の１つから前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別ステップと、
前記判別ステップによって、前記格納手段に前記第２の識別情報に関連付けられた第１の識別情報が格納され、かつ該第１の識別情報の示す情報記録媒体が前記情報処理装置に装着されていると判別されたとき、前記複数の施錠開錠手段のうちの対応する１つを動作させる制御ステップと
を有することを特徴とするセキュリティ管理方法。
【請求項１８】
情報記録媒体を装着可能な情報処理装置であって、該情報処理装置に装着された情報記録媒体を該情報処理装置から離脱させるための離脱手段と、該離脱手段を動作させるための指令を自己の識別情報とともに送出する指令送出手段と、情報記録媒体の識別情報である第１の識別情報と指令送出手段の識別情報である第２の識別情報とを関連付けて格納された格納手段とを備えた情報処理装置に適用されるセキュリティ管理方法を、コンピュータに実行させるためのプログラムにおいて、
前記指令送出手段から前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別ステップと、
前記判別ステップによって、前記格納手段に前記第２の識別情報に関連付けられた第１の識別情報が格納され、かつ該第１の識別情報の示す情報記録媒体が前記情報処理装置に装着されていると判別されたとき、前記離脱手段を動作させる制御ステップと
を有することを特徴とするプログラム。
【請求項１９】
複数の情報記録媒体を装着可能な情報処理装置であって、該情報処理装置に装着された情報記録媒体を該情報処理装置から離脱させるための離脱手段と、該離脱手段を動作させるための指令を自己の識別情報とともにそれぞれ送出する複数の指令送出手段と、各情報記録媒体の識別情報である第１の識別情報と各指令送出手段の識別情報である第２の識別情報とを関連付けて格納された格納手段とを備えた情報処理装置に適用されるセキュリティ管理方法を、コンピュータに実行させるためのプログラムにおいて、
前記複数の指令送出手段の１つから前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別ステップと、
前記判別ステップによって、前記格納手段に前記第２の識別情報に関連付けられた第１の識別情報が格納され、かつ該第１の識別情報の示す情報記録媒体が前記情報処理装置に装着されていると判別されたとき、前記離脱手段を動作させる制御ステップと
を有することを特徴とするプログラム。
【請求項２０】
複数の情報記録媒体を装着可能な情報処理装置であって、複数の情報記録媒体がそれぞれ挿入される複数の開口部と、該複数の開口部をそれぞれ覆うとともにそれぞれに施錠可能な複数の扉と、該複数の扉のそれぞれに対して施錠及び開錠を行なう複数の施錠開錠手段と、該複数の施錠開錠手段をそれぞれ動作させるための指令を自己の識別情報とともにそれぞれ送出する複数の指令送出手段と、各情報記録媒体の識別情報である第１の識別情報と各指令送出手段の識別情報である第２の識別情報とを関連付けて格納された格納手段とを備えた情報処理装置に適用されるセキュリティ管理方法を、コンピュータに実行させるためのプログラムにおいて、
前記複数の指令送出手段の１つから前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別ステップと、
前記判別ステップによって、前記格納手段に前記第２の識別情報に関連付けられた第１の識別情報が格納され、かつ該第１の識別情報の示す情報記録媒体が前記情報処理装置に装着されていると判別されたとき、前記複数の施錠開錠手段のうちの対応する１つを動作させる制御ステップと
を有することを特徴とするプログラム。
【発明の詳細な説明】
【技術分野】
【０００１】
本発明は、情報処理装置、セキュリティ管理方法、及びプログラムに関し、特に、少なくとも１つの情報記録媒体を装着可能な情報処理装置、該情報処理装置に適用されるセキュリティ管理方法、及び該セキュリティ管理方法をコンピュータに実行させるためのプログラムに関する。
【背景技術】
【０００２】
従来、情報処理装置に対して着脱可能な記録媒体が情報処理装置に装着されているときに、記録媒体が情報処理装置から抜き取られることを防止するために、情報処理装置の記録媒体の装着部に鍵付きの蓋を設けることが行なわれていた。
【０００３】
例えば特許文献１には、情報機器に、部分的に開閉できる複数の扉を設け、記録媒体への操作や他の機能への操作を、これらの扉を通して行なうようにし、各扉は、許可レベルに応じて操作できる（開錠できる）ようにセキュリティ管理がされたシステムが開示されている。
【特許文献１】特開２００２−３７３０３０号
【発明の開示】
【発明が解決しようとする課題】
【０００４】
しかしながら、上記の従来システムでは、記録媒体の所有者、管理元といった属性に関係なく、情報機器そのものとユーザの鍵やパスワード等とで扉の施錠管理がされていたため、情報機器を複数ユーザが共有で使用した場合、鍵を誰が所持して管理するかが煩わしい問題となっていた。
【０００５】
すなわち、鍵を所持した人が不在の場合には、扉の開錠／施錠ができずに不便を強いられる。一方、鍵をしまって置く場所を決め、必要な時そこから取り出して扉の開錠／施錠をする場合には、鍵の所在が知れてしまえば誰でも扉の開錠ができて、セキュリティの面でははなはだ好ましくない。また、パスワードで管理する方式においても、１つのパスワードをユーザが共有する場合には、鍵方式と大差なく好ましいものでない。
【０００６】
また、利用者を限定して、各自のパスワードを登録させて運用するよう図った場合、登録者以外の人たちが扉の開錠をできなくなるため、部外者に対するセキュリティ管理は向上するが、登録者はだれでも自由に扉の開錠ができるため、依然として記録媒体の所有者以外の人が扉を開けて記録媒体を持ち出してしまうトラブルや危険があり、好ましいものではない。
【０００７】
この問題は、特許文献１に開示されているように許可レベルに応じて異なる操作範囲を設定しても、許可レベルが同じ者同士間では解決されておらず、所有者以外が記録媒体を誤って取り出してしまう危険がある。
【０００８】
さらに、複数の記録媒体の着脱制限を記録媒体ごとの扉で個別に行う構成にした場合、機構的に複雑になってコスト高になる。また、各々の扉の管理を各人に割り当てて行なえば専用の扉管理となって（排他的管理になって）問題ないものの、共有使用を行うには、各人が扉の数だけ鍵やパスワード等を持つ必要があり、記録媒体の所有者以外の人が勝手に扉を開けることができ、上述と同様に所有者以外の人が記録媒体を持ち出してしまうトラブルや危険がある。
【０００９】
本発明はこのような問題点に鑑みてなされたものであって、共有で情報処理装置を使っても、誤って他の人が情報記憶媒体を取り出してしまうようなことも無く、セキュリティの優れたシステムを提供することを目的とする。
【課題を解決するための手段】
【００１０】
上記目的を達成するために、請求項１記載の発明によれば、情報記録媒体を装着可能な情報処理装置において、前記情報処理装置に装着された情報記録媒体を前記情報処理装置から離脱させるための離脱手段と、前記離脱手段を動作させるための指令を自己の識別情報とともに送出する指令送出手段と、情報記録媒体の識別情報である第１の識別情報と指令送出手段の識別情報である第２の識別情報とを関連付けて格納する格納手段と、前記指令送出手段から前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別手段と、前記判別手段によって、前記格納手段に前記第２の識別情報に関連付けられた第１の識別情報が格納され、かつ該第１の識別情報の示す情報記録媒体が前記情報処理装置に装着されていると判別されたとき、前記離脱手段を動作させる制御手段とを有することを特徴とする情報処理装置が提供される。
【００１１】
また、請求項９記載の発明によれば、複数の情報記録媒体を装着可能な情報処理装置において、前記情報処理装置に装着された情報記録媒体を前記情報処理装置から離脱させるための離脱手段と、前記離脱手段を動作させるための指令を自己の識別情報とともにそれぞれ送出する複数の指令送出手段と、各情報記録媒体の識別情報である第１の識別情報と各指令送出手段の識別情報である第２の識別情報とを関連付けて格納する格納手段と、前記複数の指令送出手段の１つから前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別手段と、前記判別手段によって、前記格納手段に前記第２の識別情報に関連付けられた第１の識別情報が格納され、かつ該第１の識別情報の示す情報記録媒体が前記情報処理装置に装着されていると判別されたとき、前記離脱手段を動作させる制御手段とを有することを特徴とする情報処理装置が提供される。
【００１２】
また、請求項１３記載の発明によれば、複数の情報記録媒体を装着可能な情報処理装置において、複数の情報記録媒体がそれぞれ挿入される複数の開口部と、前記複数の開口部をそれぞれ覆うとともにそれぞれに施錠可能な複数の扉と、前記複数の扉のそれぞれに対して施錠及び開錠を行なう複数の施錠開錠手段と、前記複数の施錠開錠手段をそれぞれ動作させるための指令を自己の識別情報とともにそれぞれ送出する複数の指令送出手段と、各情報記録媒体の識別情報である第１の識別情報と各指令送出手段の識別情報である第２の識別情報とを関連付けて格納する格納手段と、前記複数の指令送出手段の１つから前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別手段と、前記判別手段によって、前記格納手段に前記第２の識別情報に関連付けられた第１の識別情報が格納され、かつ該第１の識別情報の示す情報記録媒体が前記情報処理装置に装着されていると判別されたとき、前記複数の施錠開錠手段のうちの対応する１つを動作させる制御手段とを有することを特徴とする情報処理装置が提供される。
【００１３】
また、請求項１５記載の発明によれば、情報記録媒体を装着可能な情報処理装置であって、該情報処理装置に装着された情報記録媒体を該情報処理装置から離脱させるための離脱手段と、該離脱手段を動作させるための指令を自己の識別情報とともに送出する指令送出手段と、情報記録媒体の識別情報である第１の識別情報と指令送出手段の識別情報である第２の識別情報とを関連付けて格納された格納手段とを備えた情報処理装置に適用されるセキュリティ管理方法において、前記指令送出手段から前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別ステップと、前記判別ステップによって、前記格納手段に前記第２の識別情報に関連付けられた第１の識別情報が格納され、かつ該第１の識別情報の示す情報記録媒体が前記情報処理装置に装着されていると判別されたとき、前記離脱手段を動作させる制御ステップとを有することを特徴とするセキュリティ管理方法が提供される。
【００１４】
また、請求項１６記載の発明によれば、複数の情報記録媒体を装着可能な情報処理装置であって、該情報処理装置に装着された情報記録媒体を該情報処理装置から離脱させるための離脱手段と、該離脱手段を動作させるための指令を自己の識別情報とともにそれぞれ送出する複数の指令送出手段と、各情報記録媒体の識別情報である第１の識別情報と各指令送出手段の識別情報である第２の識別情報とを関連付けて格納された格納手段とを備えた情報処理装置に適用されるセキュリティ管理方法において、前記複数の指令送出手段の１つから前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別ステップと、前記判別ステップによって、前記格納手段に前記第２の識別情報に関連付けられた第１の識別情報が格納され、かつ該第１の識別情報の示す情報記録媒体が前記情報処理装置に装着されていると判別されたとき、前記離脱手段を動作させる制御ステップとを有することを特徴とするセキュリティ管理方法が提供される。
【００１５】
また、請求項１７記載の発明によれば、複数の情報記録媒体を装着可能な情報処理装置であって、複数の情報記録媒体がそれぞれ挿入される複数の開口部と、該複数の開口部をそれぞれ覆うとともにそれぞれに施錠可能な複数の扉と、該複数の扉のそれぞれに対して施錠及び開錠を行なう複数の施錠開錠手段と、該複数の施錠開錠手段をそれぞれ動作させるための指令を自己の識別情報とともにそれぞれ送出する複数の指令送出手段と、各情報記録媒体の識別情報である第１の識別情報と各指令送出手段の識別情報である第２の識別情報とを関連付けて格納された格納手段とを備えた情報処理装置に適用されるセキュリティ管理方法において、前記複数の指令送出手段の１つから前記指令及び前記第２の識別情報を受信したとき、前記格納手段に前記第２の識別情報に関連付けられた第１の識別情報が格納され、かつ該第１の識別情報の示す情報記録媒体が前記情報処理装置に装着されているか否かを判別する判別ステップと、前記判別ステップによって、前記格納手段に前記第２の識別情報に関連付けられた第１の識別情報が格納され、かつ該第１の識別情報の示す情報記録媒体が前記情報処理装置に装着されていると判別されたとき、前記複数の施錠開錠手段のうちの対応する１つを動作させる制御ステップとを有することを特徴とするセキュリティ管理方法が提供される。
【００１６】
さらに、上記セキュリティ管理方法をコンピュータに実行させるためのプログラムが提供される。
【発明の効果】
【００１７】
本発明によれば、情報処理装置に装着された情報記憶媒体（記録媒体ユニット）に関連付けされた指令送出手段（リモコン）のみによって、該情報記憶媒体の着脱と扉の施錠・開錠制御が行えるため、共有で情報処理装置を使っても、誤って他の人が情報記憶媒体を取り出してしまうようなことも無く、セキュリティの優れたシステムを提供できる。
【発明を実施するための最良の形態】
【００１８】
以下、本発明を実施するための最良の形態について、図面を参照して説明する。
【００１９】
〔第１の実施の形態〕
図１は、本発明の第１の実施の形態に係る情報処理装置の外観を示す図である。
【００２０】
１は情報処理装置本体、２０，３０は、該情報処理装置本体１に対して着脱される記録媒体ユニットである。
【００２１】
２は、記録媒体ユニット２０，３０の情報処理装置本体１に対する着脱を制限するための扉である。扉２にはラッチ２−１が設けられ、情報処理装置本体１側にはラッチ２−１と対向する位置に、開口部２−２と電子ロック機構（２−３、図２で図示）とが設けられ、扉２を閉めた状態の時にラッチ２−１が開口部２−２を通して電子ロック機構２−３に嵌合する。
【００２２】
４及び５は、記録媒体ユニット２０，３０がそれぞれ挿入、装着される記録媒体ユニット駆動ベイユニット（以下「ベイユニット」と略称）であり、挿入スロット４−１，５−１と、記録媒体ユニット２０，３０を取り出すためのイジェクトＳＷ４−２，５−２とをそれぞれ備えている。イジェクトＳＷ４−２，５−２が操作されると、記録媒体ユニット２０，３０は、電動排出機構（図示せず）によってそれぞれ排出される。
【００２３】
７は、リモートコントローラ（以下「リモコン」と略称、５０，６０，７０、図２で図示）からの赤外光信号を受光する受光部である。
【００２４】
１００はキーボード、１１０はモニタであり、それぞれ情報処理装置本体１に接続される。システムが立ち上がっている時には、ユーザがモニタ１１０の画面を見ながら、キーボード１００の操作を行い、記録媒体ユニット２０，３０の初期設定やリモコンＩＤの登録を行なったり、記録媒体ユニット２０，３０へのデータ読み書き指示等のデータ処理操作を行なったりする。
【００２５】
３は液晶表示部であり、記録媒体ユニット２０，３０にリモコンＩＤを登録する際の操作画面等を表示し、システムが立ち上がっていなくても（後述のメインボード８が稼動していなくて、モニタ１１０に画面を表示できない時でも）、記録媒体ユニット２０，３０の出し入れ及び扉の施錠・開錠制御ができるようする。
【００２６】
図２は、情報処理装置本体１のシステム構成を示すブロック図である。
【００２７】
８はメインボードであり、ハードディスク装置の標準インタフェースであるＡＴＡ（AT Attachment）インタフェースのケーブル１０，１１を介してベイユニット４，５と接続される。メインボード８は、ベイユニット４，５にそれぞれ装着される記録媒体ユニット２０，３０とデータの授受を行い、記録媒体ユニット２０，３０にデータの書き込みや記録媒体ユニット２０，３０からのデータの読み出しを行う。また、メインボード８にはキーボード１００及びモニタ１１０が接続される。
【００２８】
６は制御マイコン（マイクロコンピュータ）ブロックであり、制御線１２を介して電子ロック機構２−３が接続され、信号制御ライン（I2C:Inter Integrated Circuit）１３，１４を介してベイユニット４，５がそれぞれ接続され、通信バス１５を介してメインボード８が接続され、また液晶表示部３及び受光部７が接続される。制御マイコンブロック６は、受光部７を介してリモコン５０、６０、７０から扉２の施錠・開錠制御信号をリモコンＩＤとともに受信し、電子ロック機構２−３を駆動制御する。
【００２９】
電源部９は、メインボード８に電力を供給するメイン電源部９−２と、制御マイコンブロック６やベイユニット４、５等に電力を常時供給するバックアップ電源部９−１とで構成される。
【００３０】
リモコン５０，６０，７０には、開錠指示を行なうためのキーボタンスイッチ５１，６１，７１、施錠指示を行なうためのキーボタンスイッチ５２，６２，７２がそれぞれ設けられている。５３，６３，７３はＥｎｔｅｒキーである。
【００３１】
制御マイコンブロック６には、電気的に記録消去が可能な不揮発性メモリ（ＥＥＰＲＯＭ）６−１が設けられる。
【００３２】
図３は、制御マイコンブロック６内の不揮発性メモリ６−１の記憶領域の構成を示す図である。
【００３３】
記憶領域は、領域６−１−２０と領域６−１−１０とに分割され、領域６−１−２０には、ベイユニット４，５に装着されている記録媒体ユニットのＩＤ（識別符号）が記憶され、領域６−１−１０には、上記記録媒体ユニットのＩＤと対応するリモコンのＩＤとが対になって記憶される。リモコンはユーザが携行するものとし、リモコンと対応付けられた記録媒体ユニットだけが、情報処理装置本体１から抜き取ることができるようになっており、そうした対応関係が領域６−１−１０に登録される。
【００３４】
例えば、ベイユニット（Ａ）４に装着されている記録媒体ユニット（Ａ）２０のＩＤが領域６−１−１に、ベイユニット（Ｂ）５に装着されている記録媒体ユニット（Ｂ）３０のＩＤが領域６−１−２に記憶される。また、記録媒体ユニット（Ａ）２０のＩＤとリモコン（Ａ）５０のＩＤとが領域６−１−３に、記録媒体ユニット（Ｃ、図示せず）のＩＤとリモコン（Ａ）５０のＩＤとが領域６−１−４に、記録媒体ユニット（Ｂ）３０のＩＤとリモコン（Ｂ）６０のＩＤとが領域６−１−５に、記録媒体ユニット（Ｄ、図示せず）のＩＤとリモコン（Ｃ）７０のＩＤとが領域６−１−６に記憶される。
【００３５】
なお、領域６−１−４０には、イジェクトＳＷ（Ａ）４−２が操作された時に該操作を有効とするか無効とするかを設定するためのフラッグが記憶され、同様に、領域６−１−５０には、イジェクトＳＷ（Ｂ）５−２が操作された時のフラッグが記憶される。
【００３６】
図４及び図５は、第１の実施の形態における制御マイコンブロック６によって実行されるセキュリティ処理の手順を示すフローチャートである。
【００３７】
なお、以下の説明では、リモコン（Ａ）５０の施錠キーボタンスイッチ５２が操作されて、赤外光の施錠制御信号がリモコン（Ａ）５０のＩＤ情報とともに、リモコン（Ａ）５０から受光部７へ送出され、これを受光部７が受けて制御マイコンブロック６へ送られた場合を例に挙げて説明する。
【００３８】
受光部７が赤外光の入力信号を受光すると（ステップＳ１）、入力信号がドア制御命令すなわち開錠制御信号または施錠制御信号であるか否かを判別する（ステップＳ２）。
【００３９】
その結果、ドア制御命令ではないならばステップＳ４へ進み、入力信号の示す指示に従い処理を行い、本セキュリティ処理を終了する。一方、ドア制御命令であったならばらステップＳ３に進み、入力信号が扉２の施錠（Ｌｏｃｋ）命令すなわち施錠制御信号であるか否かを判別する。施錠（Ｌｏｃｋ）命令であるならばステップＳ１１へ進み、施錠（Ｌｏｃｋ）命令ではないならばステップＳ５へ進む。ここの例では、施錠制御信号が入力されるので、ステップＳ１１へ進む。
【００４０】
ステップＳ１１では、施錠制御信号とともに受光部７で受信したリモコンのＩＤが、不揮発性メモリ６−１の領域６−１−１０に登録されているリモコンＩＤのいずれかと一致するか否かを判別する。一致するならばステップＳ１２へ進み、一致しないならば本セキュリティ処理を終了する。ここの例では、リモコン（Ａ）５０のＩＤが受信され、領域６−１−３及び領域６−１−４において一致するので、ステップＳ１２へ進む。
【００４１】
ステップＳ１２では、受信リモコンＩＤと一致した登録リモコンＩＤと対になって登録されている記録媒体ユニットのＩＤが、ベイユニット（Ａ）４に装着されている記録媒体ユニットのＩＤと一致するか否かを判別する。一致すればステップＳ１３へ進み、一致しなければステップＳ１４へ進む。ここの例では、領域６−１−３または領域６−１−４に登録されている記録媒体ユニットのＩＤと、領域６−１−１に示されるベイユニット（Ａ）４に装着されている記録媒体ユニットのＩＤとが一致するか否かを判別する。ここでは、領域６−１−３の記録媒体ユニットのＩＤが一致するので、ステップＳ１３へ進む。
【００４２】
ステップＳ１３では、イジェクトＳＷ（Ａ）４−２及びイジェクトＳＷ（Ｂ）５−２に対する操作を無効にするため、領域６−１−４０及び領域６−１−５０のフラッグを「無効」にそれぞれセットし、扉２の施錠処理（電子ロック機構２−３でロック処理）を行い、本セキュリティ処理を終る。
【００４３】
つぎに、リモコン（Ｂ）６０の施錠キーボタンスイッチ６２が操作されて、施錠制御信号がリモコン（Ｂ）６０のＩＤ情報とともに、リモコン（Ｂ）６０から受光部７へ送出された場合を例に挙げて説明する。
【００４４】
この場合、不揮発性メモリ６−１の領域６−１−５にリモコン（Ｂ）６０のＩＤが登録されているので、ステップＳ２→ステップＳ３→ステップＳ１１→ステップＳ１２→ステップＳ１４と進む。
【００４５】
ステップＳ１４では、受信リモコンＩＤと一致した登録リモコンＩＤと対になって登録されている記録媒体ユニットのＩＤが、ベイユニット（Ｂ）５に装着されている記録媒体ユニットのＩＤと一致するか否かを判別する。一致すればステップＳ１３へ進み、一致しなければ本セキュリティ処理を終了する。ここの例では、領域６−１−５に登録されている記録媒体ユニットのＩＤと、領域６−１−２に示されるベイユニット（Ｂ）５に装着されている記録媒体ユニットのＩＤとが一致するか否かを判別し、ここでは一致するので、ステップＳ１３へ進む。ステップＳ１３では、領域６−１−４０及び領域６−１−５０のフラッグを「無効」にそれぞれセットし、扉２の施錠処理を行い、本セキュリティ処理を終る。
【００４６】
つぎに、リモコン（Ａ）５０で開錠キーボタンスイッチ５１が操作されて、開錠制御信号がリモコン（Ａ）５０のＩＤ情報とともに、リモコン（Ａ）５０から受光部７へ送出された場合を例に挙げて説明する。
【００４７】
この場合、ステップＳ２→ステップＳ３→ステップＳ５と進み、ステップＳ５で、入力信号が扉２の開錠（Ｏｐｅｎ）命令すなわち開錠制御信号であるか否かを判別する。開錠（Ｏｐｅｎ）命令であるならばステップＳ６へ進み、開錠（Ｏｐｅｎ）命令ではないならば本セキュリティ処理を終了する。ここの例では、開錠制御信号が入力されるので、ステップＳ６へ進む。
【００４８】
ステップＳ６では、開錠制御信号とともに受光部７で受信したリモコンのＩＤが、不揮発性メモリ６−１の領域６−１−１０に登録されているリモコンＩＤのいずれかと一致するか否かを判別する。一致するならばステップＳ７へ進み、一致しないならば本セキュリティ処理を終了する。ここの例では、リモコン（Ａ）５０のＩＤが受信され、領域６−１−３及び領域６−１−４において一致するので、ステップＳ７へ進む。
【００４９】
ステップＳ７では、受信リモコンＩＤと一致した登録リモコンＩＤと対になって登録されている記録媒体ユニットのＩＤが、ベイユニット（Ａ）４に装着されている記録媒体ユニットのＩＤと一致するか否かを判別する。一致すればステップＳ１０へ進み、一致しなければステップＳ８へ進む。ここの例では、領域６−１−３または領域６−１−４に登録されている記録媒体ユニットのＩＤと、領域６−１−１に示されるベイユニット（Ａ）４に装着されている記録媒体ユニットのＩＤとが一致するか否かを判別する。ここでは、領域６−１−３の記録媒体ユニットのＩＤが一致するので、ステップＳ１０へ進む。
【００５０】
ステップＳ１０では、イジェクトＳＷ（Ａ）４−２に対する操作を有効にするため、領域６−１−４０のフラッグを「有効」にセットし、ステップＳ１５で、扉２の開錠処理（電子ロック機構２−３でオープン処理）を行い、本セキュリティ処理を終る。
【００５１】
ステップＳ８では、受信リモコンＩＤと一致した登録リモコンＩＤと対になって登録されている記録媒体ユニットのＩＤが、ベイユニット（Ｂ）５に装着されている記録媒体ユニットのＩＤと一致するか否かを判別する。一致すればステップＳ９へ進み、一致しなければ本セキュリティ処理を終了する。ステップＳ９では、イジェクトＳＷ（Ｂ）５−２に対する操作を有効にするため、領域６−１−５０のフラッグを「有効」にセットし、ステップＳ１５で、扉２の開錠処理を行い、本セキュリティ処理を終る。ステップＳ８およびステップＳ９が実行されるケースは、リモコン（Ｂ）６０の開錠キーボタンスイッチ６１が操作された場合である。
【００５２】
つぎに、リモコン（Ｃ）７０の開錠キーボタンスイッチ７１が操作されて、開錠制御信号がリモコン（Ｃ）７０のＩＤ情報とともに、リモコン（Ｃ）７０から受光部７へ送出された場合を例に挙げて説明する。
【００５３】
ステップＳ２→ステップＳ３→ステップＳ５→ステップＳ６と進み、不揮発性メモリ６１の領域６−１−６にリモコン（Ｃ）７０のＩＤが登録されているので、ステップＳ６で肯定（ＹＥＳ）となる。しかし、領域６−１−６に登録されているリモコン（Ｃ）７０のＩＤと対に登録されている記録媒体ユニットのＩＤは、ユニットベイ（Ａ）４またはユニットベイ（Ｂ）５に装着されている記録媒体ユニットのＩＤではないので、ステップＳ７及びステップＳ８で否定（ＮＯ）となり、本セキュリティ処理を終了してしまう。
【００５４】
以上のように、第１の実施の形態では、情報処理装置に装着された記録媒体ユニットに関連付けされたリモコンでのみ、該記録媒体ユニットの着脱と扉の施錠・開錠管理が行えるため、記録媒体ユニットに関連付けられたリモコンを該記録媒体ユニットの所有者が操作するようにすれば、共有で情報処理装置を使っても、上記のリモコンを持たない他の人が記録媒体ユニットを取り出してしまうようなことが無く、セキュリティの優れたシステムを提供できる。
【００５５】
〔第２の実施の形態〕
次に、本発明の第２の実施の形態を説明する。
【００５６】
第２の実施の形態の構成は、基本的に第１の実施の形態の構成と同じであるので、第２の実施の形態の説明においては、第１の実施の形態の構成と同一部分には同一の参照符号を付して、第１の実施の形態の説明を流用し、異なる部分だけを説明する。
【００５７】
第２の実施の形態では、記録媒体ユニットに、該記録媒体ユニットに関連付けられたリモコンのＩＤを記憶させるようにしており、記録媒体ユニットを情報処理装置本体１に装着すると、該記録媒体ユニットからリモコンＩＤが読み出され、制御マイコンブロック６内の不揮発性メモリ６−１に格納される。この格納処理については、図８を参照して後述する。
【００５８】
図６は、第２の実施の形態における不揮発性メモリ６−１の記憶領域の構成を示す図である。
【００５９】
領域６−１−３０は、ベイユニット４，５にそれぞれ装着されている記録媒体ユニットから読み出したリモコンＩＤが格納される領域であり、例えば、領域６−１−３１には、ベイユニット４に装着されている記録媒体ユニット（Ａ）２０から読み出されたリモコン（Ａ）５０のＩＤが格納され、領域６−１−３２には、ベイユニット５に装着されている記録媒体ユニット（Ｂ）３０から読み出されたリモコン（Ｂ）６０のＩＤが格納されている。また、第１の実施の形態と同様に、領域６−１−４０には、イジェクトＳＷ（Ａ）４−２が操作された時に該操作を有効とするか無効とするかを設定するためのフラッグが記憶され、領域６−１−５０には、イジェクトＳＷ（Ｂ）５−２が操作された時のフラッグが記憶される。
【００６０】
図７は、第２の実施の形態における制御マイコンブロック６によって実行されるセキュリティ処理の手順を示すフローチャートである。
【００６１】
なお、以下の説明では、リモコン（Ｂ）６０の施錠キーボタンスイッチ６２が操作されて、赤外光の施錠制御信号がリモコン（Ｂ）６０のＩＤ情報とともに、リモコン（Ｂ）６０から受光部７へ送出され、これを受光部７が受けて制御マイコンブロック６へ送られた場合を例に挙げて説明する。
【００６２】
受光部７が赤外光の入力信号を受光すると（ステップＳ３０）、入力信号がドア制御命令すなわち開錠制御信号または施錠制御信号であるか否かを判別する（ステップＳ３１）。
【００６３】
その結果、ドア制御命令ではないならばステップＳ３３へ進み、入力信号の示す指示に従い処理を行い、本セキュリティ処理を終了する。一方、ドア制御命令であったならばらステップＳ３２に進み、ベイユニット（Ａ）４に装着されている記録媒体ユニットから読み出されて不揮発性メモリ６−１に格納されたリモコンＩＤ（図６の領域６−１−３１）が、入力されたリモコンＩＤと一致するか否かを判別する。一致するならばステップＳ３９へ進み、一致しなければステップＳ３４へ進む。
【００６４】
ステップＳ３４では、ベイユニット（Ｂ）５に装着されている記録媒体ユニットから読み出されて不揮発性メモリ６−１に格納されたリモコンＩＤ（図６の領域６−１−３２）が、入力されたリモコンＩＤと一致するか否かを判別する。一致するならばステップＳ３５へ進み、一致しなければ本セキュリティ処理を終了する。ここの例では、入力リモコンＩＤがリモコン（Ｂ）６０のＩＤであるので、ステップＳ３５へ進む。
【００６５】
ステップＳ３５では、入力信号が扉２の開錠（ＯＰＥＮ）命令すなわち開錠制御信号であるか否かを判別する。開錠命令であるならばステップＳ３８へ進み、開錠命令ではないならばステップＳ３６へ進む。ここの例では、施錠制御信号が入力されるので、ステップＳ３６へ進む。
【００６６】
ステップＳ３６では、入力信号が扉２の施錠（ＬＯＣＫ）命令すなわち施錠制御信号であるか否かを判別する。施錠命令であるならばステップＳ３７へ進み、施錠命令ではないならば本セキュリティ処理を終了する。ここの例では、施錠制御信号が入力されるので、ステップＳ３７へ進む。
【００６７】
ステップＳ３７では、イジェクトＳＷ（Ｂ）５−２が無効になるように、制御マイコンブロック６内の不揮発性メモリ６−１の領域６−１−５０のフラッグを「無効」にセットし、扉２の施錠処理（電子ロック機構２−３でロック処理）を行なう。
【００６８】
なお、リモコン（Ｂ）６０の開錠キーボタンスイッチ６１が操作されて、開錠制御信号がリモコン（Ｂ）６０のＩＤ情報とともに、リモコン（Ｂ）６０から受光部７へ送出された場合には、ステップＳ３１→ステップＳ３２→ステップＳ３４→ステップＳ３５→ステップＳ３８と進み、ステップＳ３８では、イジェクトＳＷ（Ｂ）５−２が有効になるように、制御マイコンブロック６内の不揮発性メモリ６−１の領域６−１−５０のフラッグを「有効」にセットし、扉２の開錠処理（電子ロック機構２−３でオープン処理）を行なう。
【００６９】
また、リモコン（Ａ）５０の施錠キーボタンスイッチ５２が操作されて、施錠制御信号がリモコン（Ａ）５０のＩＤ情報とともに、リモコン（Ａ）５０から受光部７へ送出された場合には、ステップＳ３１→ステップＳ３２→ステップＳ３９と進む。
【００７０】
ステップＳ３９では、入力信号が扉２の開錠（ＯＰＥＮ）命令すなわち開錠制御信号であるか否かを判別する。開錠命令であるならばステップＳ４０へ進み、開錠命令ではないならばステップＳ４１へ進む。ここの例では、施錠制御信号が入力されるので、ステップＳ４１へ進む。
【００７１】
ステップＳ４１では、入力信号が扉２の施錠（ＬＯＣＫ）命令すなわち施錠制御信号であるか否かを判別する。施錠命令であるならばステップＳ４２へ進み、施錠命令ではないならば本セキュリティ処理を終了する。ここの例では、施錠制御信号が入力されるので、ステップＳ４２へ進む。
【００７２】
ステップＳ４２では、イジェクトＳＷ（Ａ）４−２が無効になるように、制御マイコンブロック６内の不揮発性メモリ６−１の領域６−１−４０のフラッグを「無効」にセットし、扉２の施錠処理（電子ロック機構２−３でロック処理）を行なう。
【００７３】
また、リモコン（Ａ）５０の開錠キーボタンスイッチ５１が操作されて、開錠制御信号がリモコン（Ａ）５０のＩＤ情報とともに、リモコン（Ａ）５０から受光部７へ送出された場合には、ステップＳ３１→ステップＳ３２→ステップＳ３９→ステップＳ４０と進む。ステップＳ４０では、イジェクトＳＷ（Ａ）４−２が有効になるように、制御マイコンブロック６内の不揮発性メモリ６−１の領域６−１−４０のフラッグを「有効」にセットし、扉２の開錠処理（電子ロック機構２−３でオープン処理）を行なう。
【００７４】
さらに、リモコン（Ｃ）７０の開錠キーボタンスイッチ７１または施錠キーボタンスイッチ７２が操作された時には、不揮発性メモリ６−１の領域６−１−３０にリモコン（Ｃ）７０のＩＤが登録されていないため（情報処理装置本体１に、リモコン（Ｃ）７０と関連付けられた記録媒体ユニットが挿入されていない）、ステップＳ３２及びステップＳ３４で否定（ＮＯ）となる。したがって、リモコン（Ｃ）７０を用いた扉２の開錠・施錠はできず、記録媒体ユニットの取り出しもできない。
【００７５】
図８は、記録媒体ユニットがベイユニットに装着された時に、該記録媒体ユニットに記憶されたリモコンＩＤを読み出して、制御マイコンブロック６内の不揮発性メモリ６−１に記録する記録処理の手順を示すフローチャートである。
【００７６】
記録媒体ユニット（２０，３０）がベイユニット（４，５）に挿入されると、ベイユニット（４，５）が信号制御ライン（１３，１４）を介して制御マイコンブロック６に該挿入を伝える（ステップＳ６０）。制御マイコンブロック６は、メインボード８に通信バス１５を介して、ベイユニット（４，５）に記録媒体ユニット（２０，３０）が挿入されたことを知らせる（ステップＳ６１）。
【００７７】
メインボード８は、ベイユニット（４，５）に挿入された記録媒体ユニット（２０，３０）を、ＡＴＡインタフェースケーブル（１０，１１）を介して駆動する（ステップＳ６２）。この駆動の結果、記録媒体ユニット（２０，３０）に、該記録媒体ユニットに関連付けられたリモコンのリモコンＩＤが登録されているか否かを判別する（ステップＳ６３）。登録済みであればステップＳ６４へ進み、未登録であればステップＳ６８へ進む。
【００７８】
ステップＳ６４では、ベイユニット（４，５）が、挿入された記録媒体ユニットからリモコンＩＤを取得し、ステップＳ６５で、該リモコンＩＤを、信号制御ライン（１３，１４）を介して制御マイコンブロック６に通知する。制御マイコンブロック６は、通知されたリモコンＩＤを不揮発性メモリ６−１の領域６−１−３０に記録し（ステップＳ６６）、本記録処理を終了する。
【００７９】
ステップＳ６８では、液晶表示部３を利用して制御マイコンブロック６でリモコンＩＤの登録処理が行なわれる。すなわち、リモコン（５０，６０，７０）のＥｎｔｅｒキー（５３，６３，７３）を操作することによって、リモコンＩＤがキーコードとともに送出されるので、このリモコンＩＤを、記録媒体ユニット（２０，３０）におけるユーザがアクセスできない特定の領域に書き込むことで登録する。また、リモコン（５０，６０，７０）のキースイッチ（図示せず）や、液晶表示部３上に設けた透明タッチパネル（図示せず）等からリモコンＩＤを手動入力させ、そのデータを制御マイコンブロック６が通信バス１５を介してメインボード８へ送信し、または、モニタ１１０の画面とキーボード１００とを利用してメインボード８へリモコンＩＤを直接入力し、メインボード８が、記録媒体ユニット（２０，３０）における特定領域に書き込むようにしてもよい。
【００８０】
ステップＳ６９では、制御マイコンブロック６が、記録媒体ユニット（２０，３０）に登録したリモコンＩＤを、不揮発性メモリ６−１の領域６−１−３０に書き込み、本記録処理を終了する。
【００８１】
図９は、リモコン（５０，６０，７０）で扉２の開錠指示を行なった後、イジェクトＳＷ（Ａ，Ｂ）４−２，５−２を操作した時に制御マイコンブロック６及びメインボード８で実行される記録媒体ユニット（２０，３０）の取り出し処理の手順を示すフローチャートである。
【００８２】
なお、以下の説明では、イジェクトＳＷ（Ａ）４−２が操作され、ベイユニット（Ａ）４から記録媒体ユニット（Ａ）２０が取り出される場合を例に挙げて説明する。
【００８３】
イジェクトＳＷ（Ａ）４−２が操作されて、ベイユニット（Ａ）４に装着されている記録媒体ユニット（Ａ）２０を取り出すように指示が有ると（ステップＳ５０）、制御マイコンブロック６は不揮発性メモリ６−１の領域６−１−４０に、イジェクトＳＷ（Ａ）４−２を「有効」にするフラッグが立てられているか否かを判別する（ステップＳ５１）。「有効」にするフラッグが立てられているならばステップＳ５２へ進み、「無効」にするフラッグが立てられているならば本取り出し処理を終了する。
【００８４】
ステップＳ５２では、制御マイコンブロック６が通信バス１５を介してメインボード８に、ベイユニット（Ａ）４に装着されている記録媒体ユニット（Ａ）２０を取り出す指令を受けた旨を送信し、ステップＳ５３で、この送信に対してメインボード８から、送信を受けた旨の返信があったか否かを判別する。返信があればステップＳ５４へ進み、返信がなければステップＳ５６へ進む。
【００８５】
ステップＳ５４では、メインボード８が、記録媒体ユニット（Ａ）２０から開いているファイルを閉じる等の終了処理を行い、つぎのステップＳ５５で、メインボード８は制御マイコンブロック６に、記録媒体ユニット（Ａ）２０の取り出しを行なってもよい旨の通知を行なう。
【００８６】
この通知を受けた場合、または上記返信が無かった場合（メインボード８が稼動していない場合であり、この場合には上記の終了処理の実行は不要）、制御マイコンブロック６は液晶表示部３に、記録媒体ユニット（Ａ）２０の取り出しを行なう旨の表示を行い、信号制御ライン１３を介してベイユニット（Ａ）４に対して記録媒体ユニット（Ａ）２０の排出処理を行う（ステップＳ５６）。そして、不揮発性メモリ６−１の領域６−１−３１に書き込まれていたデータと、領域６−１−４０のフラッグとを消去して（ステップＳ５７）、本取り出し処理を終了する。
【００８７】
第２の実施の形態において、記録媒体ユニットに記録されたリモコンＩＤに対応するリモコンを該記録媒体ユニットの所有者が操作するようにすれば、共有で情報処理装置を使っても、上記のリモコンを持たない他の人が記録媒体ユニットを取り出してしまうようなことが無く、セキュリティの優れたシステムを提供できる。
【００８８】
なお、バックアップ電源部９−１が常時、制御マイコンブロック６やベイユニット４、５に供給されているので、メインボード８が稼動していなくても、制御マイコンブロック６やベイユニット４、５は動作可能である。
【００８９】
〔第３の実施の形態〕
次に、本発明の第３の実施の形態を説明する。
【００９０】
第３の実施の形態の構成は、基本的に第２の実施の形態の構成と同じであるので、第３の実施の形態の説明においては、第２の実施の形態の構成と同一部分には同一の参照符号を付して、第２の実施の形態の説明を流用し、異なる部分だけを説明する。
【００９１】
第２の実施の形態では、記録媒体ユニット２０，３０のユーザアクセス不可能な特定領域に、関連付けられたリモコンＩＤを記憶するようにしていたが、第３の実施の形態では、こうした記録媒体ユニット２０，３０とは異なる構成をもった記録媒体ユニットを使用する。
【００９２】
図１０は、第３の実施の形態における記録媒体ユニット８０の構成を示す図である。
【００９３】
記録媒体ユニット８０には、記録媒体８０−１及び制御回路部８０−２の他に、制御回路部８０−２内にＥＥＰＲＯＭなどからなる不揮発性メモリ８０−３を設ける。そして、この不揮発性メモリ８０−３にリモコンＩＤを記憶するようにする。
【００９４】
記録媒体８０−１に対しては、ＡＴＡインタフェース部８０−５を介してデータの書き込み・読み出しが行われ、不揮発性メモリ８０−３に対しては、Ｉ２Ｃの通信インタフェース部８０−４を介して制御マイコンブロック６が、リモコンＩＤの書き込み・読み出しを行う。
【００９５】
図１１は、第３の実施の形態における記録媒体ユニット８０がベイユニット４に装着された時に、不揮発性メモリ８０−３からリモコンＩＤを読み出して制御マイコンブロック６内の不揮発性メモリ６−１に記録する記録処理の手順を示すフローチャートである。なお、本記録処理は、図８に示す第２の実施の形態における記録処理に相当するものであり、この処理のみが第２の実施の形態と異なっているが、他の処理は第２の実施の形態と同じである。
【００９６】
記録媒体ユニット８０がベイユニット４に挿入されると、該挿入が信号制御ライン１３を介して制御マイコンブロック６に伝えられる（ステップＳ７０）。制御マイコンブロック６は、記録媒体ユニット８０の不揮発性メモリ８０−３に登録されているリモコンＩＤを読み出し（ステップＳ７１）、このリモコンＩＤが制御マイコンブロック６内の不揮発性メモリ６−１に既に登録されているか否かを判別する（ステップＳ７２）。登録済みであればステップＳ７３へ進み、未登録であればステップＳ７６へ進む。
【００９７】
ステップＳ７３では、リモコンＩＤを取得して（ステップＳ７３）、不揮発性メモリ６−１の領域６−１−３０に書き込み（ステップＳ７４）、本記録処理を終了する。
【００９８】
ステップＳ７６では、リモコンＩＤの登録処理が液晶表示部３を利用してユーザによって行なわれ、該リモコンＩＤを、信号制御ライン１３を介して記録媒体ユニット８０の不揮発性メモリ８０−３に書き込み、その後、ステップＳ７４へ進む。
【００９９】
第３の実施の形態においては、第２の実施の形態で得られる作用効果と同一の作用効果を得ることができる。
【０１００】
〔第４の実施の形態〕
次に、本発明の第４の実施の形態を説明する。
【０１０１】
第４の実施の形態の構成は、基本的に第１の実施の形態の構成と同じであるので、第４の実施の形態の説明においては、第１の実施の形態の構成と同一部分には同一の参照符号を付して、第１の実施の形態の説明を流用し、異なる部分だけを説明する。
【０１０２】
図１２は、第４の実施の形態に係る情報処理装置の外観を示す図である。
【０１０３】
第４の実施の形態では、扉（Ａ）２ａが、情報処理装置本体１の挿入スロット４−１及びイジェクトＳＷ４−２を覆う位置に配置されるとともに、扉（Ｂ）９０が、情報処理装置本体１の挿入スロット５−１及びイジェクトＳＷ５−２を覆う位置に配置され、扉（Ａ）２ａと扉（Ｂ）９０とは互いに独立に動作される。扉９０（Ｂ）にはラッチ９０−１が設けられ、情報処理装置本体１側にはラッチ９０−１と対向する位置に、開口部９０−２と電子ロック機構（９０−３、図１３で図示）とが設けられ、扉９０を閉めた状態の時にラッチ９０−１が開口部９０−２を通して電子ロック機構９０−３に嵌合する。
【０１０４】
図１３は、第４の実施の形態における情報処理装置本体１のシステム構成を示すブロック図である。
【０１０５】
図１３に示すシステム構成は、図２に示す第１の実施の形態におけるシステム構成と基本的に同じである。ただし、第４の実施の形態では、制御マイコンブロック６が、制御線１６を介して電子ロック機構９０−３に接続される。
【０１０６】
図１４は、第４の実施の形態における制御マイコンブロック６内の不揮発性メモリ６−１の記憶領域を示す図である。
【０１０７】
図１４に示す記憶領域は、図３に示す第１の実施の形態における記憶領域と基本的に同じである。ただし、第４の実施の形態では、第１の実施の形態における領域６−１−４０，６−１−５０が存在しない。
【０１０８】
図１５及び図１６は、第４の実施の形態における制御マイコンブロック６によって実行されるセキュリティ処理の手順を示すフローチャートである。
【０１０９】
なお、以下の説明では、リモコン（Ａ）５０の施錠キーボタンスイッチ５２が操作されて、赤外光の施錠制御信号がリモコン（Ａ）５０のＩＤ情報とともに、リモコン（Ａ）５０から受光部７へ送出され、これを受光部７が受けて制御マイコンブロック６へ送られた場合を例に挙げて説明する。
【０１１０】
受光部７が赤外光の入力信号を受光すると（ステップＳ１０１）、入力信号がドア制御命令すなわち開錠制御信号または施錠制御信号であるか否かを判別する（ステップＳ１０２）。
【０１１１】
その結果、ドア制御命令ではないならばステップＳ１０４へ進み、入力信号の示す指示に従い処理を行い、本セキュリティ処理を終了する。一方、ドア制御命令であったならばらステップＳ１０３に進み、入力信号が扉（Ａ）２ａまたは扉（Ａ）９０の施錠（Ｌｏｃｋ）命令すなわち施錠制御信号であるか否かを判別する。施錠（Ｌｏｃｋ）命令であるならばステップＳ１１１へ進み、施錠（Ｌｏｃｋ）命令ではないならばステップＳ１０５へ進む。ここの例では、施錠制御信号が入力されるので、ステップＳ１１１へ進む。
【０１１２】
ステップＳ１１１では、施錠制御信号とともに受光部７で受信したリモコンのＩＤが、不揮発性メモリ６−１の領域６−１−１０に登録されているリモコンＩＤのいずれかと一致するか否かを判別する。一致するならばステップＳ１１２へ進み、一致しないならば本セキュリティ処理を終了する。ここの例では、リモコン（Ａ）５０のＩＤが受信され、領域６−１−３及び領域６−１−４において一致するので、ステップＳ１１２へ進む。
【０１１３】
ステップＳ１１２では、受信リモコンＩＤと一致した登録リモコンＩＤと対になって登録されている記録媒体ユニットのＩＤが、ベイユニット（Ａ）４に装着されている記録媒体ユニットのＩＤと一致するか否かを判別する。一致すればステップＳ１１３へ進み、一致しなければステップＳ１１４へ進む。ここの例では、領域６−１−３または領域６−１−４に登録されている記録媒体ユニットのＩＤと、領域６−１−１に示されるベイユニット（Ａ）４に装着されている記録媒体ユニットのＩＤとが一致するか否かを判別する。ここでは、領域６−１−３の記録媒体ユニットのＩＤが一致するので、ステップＳ１１３へ進む。
【０１１４】
ステップＳ１１３では、扉（Ａ）２ａの施錠処理（電子ロック機構２−３でロック処理）を行い、本セキュリティ処理を終る。
【０１１５】
つぎに、リモコン（Ｂ）６０の施錠キーボタンスイッチ６２が操作されて、施錠制御信号がリモコン（Ｂ）６０のＩＤ情報とともに、リモコン（Ｂ）６０から受光部７へ送出された場合を例に挙げて説明する。
【０１１６】
この場合、不揮発性メモリ６−１の領域６−１−５にリモコン（Ｂ）６０のＩＤが登録されているので、ステップＳ１０２→ステップＳ１０３→ステップＳ１１１→ステップＳ１１２→ステップＳ１１４と進む。
【０１１７】
ステップＳ１１４では、受信リモコンＩＤと一致した登録リモコンＩＤと対になって登録されている記録媒体ユニットのＩＤが、ベイユニット（Ｂ）５に装着されている記録媒体ユニットのＩＤと一致するか否かを判別する。一致すればステップＳ１１５へ進み、一致しなければ本セキュリティ処理を終了する。ここの例では、領域６−１−５に登録されている記録媒体ユニットのＩＤと、領域６−１−２に示されるベイユニット（Ｂ）５に装着されている記録媒体ユニットのＩＤとが一致するか否かを判別し、ここでは一致するので、ステップＳ１１５へ進む。ステップＳ１１５では、扉（Ｂ）９０の施錠処理（電子ロック機構９０−３でロック処理）を行い、本セキュリティ処理を終る。
【０１１８】
つぎに、リモコン（Ａ）５０で開錠キーボタンスイッチ５１が操作されて、開錠制御信号がリモコン（Ａ）５０のＩＤ情報とともに、リモコン（Ａ）５０から受光部７へ送出された場合を例に挙げて説明する。
【０１１９】
この場合、ステップＳ１０２→ステップＳ１０３→ステップＳ１０５と進み、ステップＳ１０５で、入力信号が扉（Ａ）２ａまたは扉（Ａ）９０の開錠（Ｏｐｅｎ）命令すなわち開錠制御信号であるか否かを判別する。開錠（Ｏｐｅｎ）命令であるならばステップＳ１０６へ進み、開錠（Ｏｐｅｎ）命令ではないならば本セキュリティ処理を終了する。ここの例では、開錠制御信号が入力されるので、ステップＳ１０６へ進む。
【０１２０】
ステップＳ１０６では、開錠制御信号とともに受光部７で受信したリモコンのＩＤが、不揮発性メモリ６−１の領域６−１−１０に登録されているリモコンＩＤのいずれかと一致するか否かを判別する。一致するならばステップＳ１０７へ進み、一致しないならば本セキュリティ処理を終了する。ここの例では、リモコン（Ａ）５０のＩＤが受信され、領域６−１−３及び領域６−１−４において一致するので、ステップＳ１０７へ進む。
【０１２１】
ステップＳ１０７では、受信リモコンＩＤと一致した登録リモコンＩＤと対になって登録されている記録媒体ユニットのＩＤが、ベイユニット（Ａ）４に装着されている記録媒体ユニットのＩＤと一致するか否かを判別する。一致すればステップＳ１１０へ進み、一致しなければステップＳ１０８へ進む。ここの例では、領域６−１−３または領域６−１−４に登録されている記録媒体ユニットのＩＤと、領域６−１−１に示されるベイユニット（Ａ）４に装着されている記録媒体ユニットのＩＤとが一致するか否かを判別する。ここでは、領域６−１−３の記録媒体ユニットのＩＤが一致するので、ステップＳ１１０へ進む。
【０１２２】
ステップＳ１１０では、扉（Ａ）２ａの開錠処理（電子ロック機構２−３でオープン処理）を行い、本セキュリティ処理を終る。
【０１２３】
ステップＳ１０８では、受信リモコンＩＤと一致した登録リモコンＩＤと対になって登録されている記録媒体ユニットのＩＤが、ベイユニット（Ｂ）５に装着されている記録媒体ユニットのＩＤと一致するか否かを判別する。一致すればステップＳ１０９へ進み、一致しなければ本セキュリティ処理を終了する。ステップＳ１０９では、扉（Ｂ）９０の開錠処理（電子ロック機構９０−３でオープン処理）を行い、本セキュリティ処理を終る。ステップＳ１０８およびステップＳ１０９が実行されるケースは、リモコン（Ｂ）６０の開錠キーボタンスイッチ６１が操作された場合である。
【０１２４】
つぎに、リモコン（Ｃ）７０の開錠キーボタンスイッチ７１が操作されて、開錠制御信号がリモコン（Ｃ）７０のＩＤ情報とともに、リモコン（Ｃ）７０から受光部７へ送出された場合を例に挙げて説明する。
【０１２５】
ステップＳ１０２→ステップＳ１０３→ステップＳ１０５→ステップＳ１０６と進み、不揮発性メモリ６１の領域６−１−６にリモコン（Ｃ）７０のＩＤが登録されているので、ステップＳ１０６で肯定（ＹＥＳ）となる。しかし、領域６−１−６に登録されているリモコン（Ｃ）７０のＩＤと対に登録されている記録媒体ユニットのＩＤは、ユニットベイ（Ａ）４またはユニットベイ（Ｂ）５に装着されている記録媒体ユニットのＩＤではないので、ステップＳ１０７及びステップＳ１０８で否定（ＮＯ）となり、本セキュリティ処理を終了してしまう。
【０１２６】
以上のように、第４の実施の形態では、扉（Ｂ）９０を新たに設け、扉（Ａ）２ａ及び扉（Ｂ）９０に対して個別に施錠・開錠制御を行なうことができる。
【０１２７】
また第４の実施の形態でも、情報処理装置に装着された記録媒体ユニットに関連付けされたリモコンでのみ、該記録媒体ユニットの着脱と扉の施錠・開錠管理が行えるため、記録媒体ユニットに関連付けられたリモコンを該記録媒体ユニットの所有者が操作するようにすれば、共有で情報処理装置を使っても、上記のリモコンを持たない他の人が記録媒体ユニットを取り出してしまうようなことが無く、セキュリティの優れたシステムを提供できる。
【０１２８】
〔第５の実施の形態〕
次に、本発明の第５の実施の形態を説明する。
【０１２９】
第５の実施の形態の構成は、基本的に第４の実施の形態の構成と同じであるので、第５の実施の形態の説明においては、第４の実施の形態の構成と同一部分には同一の参照符号を付して、第４の実施の形態の説明を流用し、異なる部分だけを説明する。
【０１３０】
第５の実施の形態では、記録媒体ユニットに、該記録媒体ユニットに関連付けられたリモコンのＩＤを記憶させるようにしており、記録媒体ユニットを情報処理装置本体１に装着すると、該記録媒体ユニットからリモコンＩＤが読み出され、制御マイコンブロック６内の不揮発性メモリ６−１に格納される。
【０１３１】
図１７は、第５の実施の形態における不揮発性メモリ６−１の記憶領域の構成を示す図である。
【０１３２】
領域６−１−３０は、ベイユニット４，５にそれぞれ装着されている記録媒体ユニットから読み出したリモコンＩＤが格納される領域であり、例えば、領域６−１−３１には、ベイユニット４に装着されている記録媒体ユニット（Ａ）２０から読み出されたリモコン（Ａ）５０のＩＤが格納され、領域６−１−３２には、ベイユニット５に装着されている記録媒体ユニット（Ｂ）３０から読み出されたリモコン（Ｂ）６０のＩＤが格納されている。
【０１３３】
なお、図１７に示す第５の実施の形態における不揮発性メモリ６−１の記憶領域の構成は、図６に示す第２の実施の形態における不揮発性メモリ６−１の記憶領域の構成と基本的に同一であるが、第５の実施の形態では、図６に示すような第２の実施の形態における領域６−１−４０，６−１−５０の設定はない。
【０１３４】
図１８及び図１９は、第５の実施の形態における制御マイコンブロック６によって実行されるセキュリティ処理の手順を示すフローチャートである。
【０１３５】
なお、以下の説明では、リモコン（Ｂ）６０の施錠キーボタンスイッチ６２が操作されて、赤外光の施錠制御信号がリモコン（Ｂ）６０のＩＤ情報とともに、リモコン（Ｂ）６０から受光部７へ送出され、これを受光部７が受けて制御マイコンブロック６へ送られた場合を例に挙げて説明する。
【０１３６】
受光部７が赤外光の入力信号を受光すると（ステップＳ１３０）、入力信号がドア制御命令すなわち開錠制御信号または施錠制御信号であるか否かを判別する（ステップＳ１３１）。
【０１３７】
その結果、ドア制御命令ではないならばステップＳ１３３へ進み、入力信号の示す指示に従い処理を行い、本セキュリティ処理を終了する。一方、ドア制御命令であったならばらステップＳ１３２に進み、ベイユニット（Ａ）４に装着されている記録媒体ユニットから読み出されて不揮発性メモリ６−１に格納されたリモコンＩＤ（図１７の領域６−１−３１）が、入力されたリモコンＩＤと一致するか否かを判別する。一致するならばステップＳ１３９へ進み、一致しなければステップＳ１３４へ進む。
【０１３８】
ステップＳ１３４では、ベイユニット（Ｂ）５に装着されている記録媒体ユニットから読み出されて不揮発性メモリ６−１に格納されたリモコンＩＤ（図１７の領域６−１−３２）が、入力されたリモコンＩＤと一致するか否かを判別する。一致するならばステップＳ１３５へ進み、一致しなければ本セキュリティ処理を終了する。ここの例では、入力リモコンＩＤがリモコン（Ｂ）６０のＩＤであるので、ステップＳ１３５へ進む。
【０１３９】
ステップＳ１３５では、入力信号が扉（Ｂ）９０の開錠（ＯＰＥＮ）命令すなわち開錠制御信号であるか否かを判別する。開錠命令であるならばステップＳ１３８へ進み、開錠命令ではないならばステップＳ１３６へ進む。ここの例では、施錠制御信号が入力されるので、ステップＳ１３６へ進む。
【０１４０】
ステップＳ１３６では、入力信号が扉（Ｂ）９０の施錠（ＬＯＣＫ）命令すなわち施錠制御信号であるか否かを判別する。施錠命令であるならばステップＳ１３７へ進み、施錠命令ではないならば本セキュリティ処理を終了する。ここの例では、施錠制御信号が入力されるので、ステップＳ１３７へ進む。
【０１４１】
ステップＳ１３７では、扉（Ｂ）９０の施錠処理（電子ロック機構９０−３でロック処理）を行なう。
【０１４２】
なお、リモコン（Ｂ）６０の開錠キーボタンスイッチ６１が操作されて、開錠制御信号がリモコン（Ｂ）６０のＩＤ情報とともに、リモコン（Ｂ）６０から受光部７へ送出された場合には、ステップＳ１３１→ステップＳ１３２→ステップＳ１３４→ステップＳ１３５→ステップＳ１３８と進み、ステップＳ１３８では、扉（Ｂ）９０の開錠処理（電子ロック機構９０−３でオープン処理）を行なう。
【０１４３】
また、リモコン（Ａ）５０の施錠キーボタンスイッチ５２が操作されて、施錠制御信号がリモコン（Ａ）５０のＩＤ情報とともに、リモコン（Ａ）５０から受光部７へ送出された場合には、ステップＳ１３１→ステップＳ１３２→ステップＳ１３９と進む。
【０１４４】
ステップＳ１３９では、入力信号が扉（Ａ）２ａの開錠（ＯＰＥＮ）命令すなわち開錠制御信号であるか否かを判別する。開錠命令であるならばステップＳ１４０へ進み、開錠命令ではないならばステップＳ１４１へ進む。ここの例では、施錠制御信号が入力されるので、ステップＳ１４１へ進む。
【０１４５】
ステップＳ１４１では、入力信号が扉（Ａ）２ａの施錠（ＬＯＣＫ）命令すなわち施錠制御信号であるか否かを判別する。施錠命令であるならばステップＳ１４２へ進み、施錠命令ではないならば本セキュリティ処理を終了する。ここの例では、施錠制御信号が入力されるので、ステップＳ１４２へ進む。
【０１４６】
ステップＳ１４２では、扉（Ａ）２ａの施錠処理（電子ロック機構２−３でロック処理）を行なう。
【０１４７】
また、リモコン（Ａ）５０の開錠キーボタンスイッチ５１が操作されて、開錠制御信号がリモコン（Ａ）５０のＩＤ情報とともに、リモコン（Ａ）５０から受光部７へ送出された場合には、ステップＳ１３１→ステップＳ１３２→ステップＳ１３９→ステップＳ１４０と進む。ステップＳ１４０では、扉（Ａ）２ａの開錠処理（電子ロック機構２−３でオープン処理）を行なう。
【０１４８】
さらに、リモコン（Ｃ）７０の開錠キーボタンスイッチ７１または施錠キーボタンスイッチ７２が操作された時には、不揮発性メモリ６−１の領域６−１−３０にリモコン（Ｃ）７０のＩＤが登録されていないため（情報処理装置本体１に、リモコン（Ｃ）７０と関連付けられた記録媒体ユニットが挿入されていない）、ステップＳ１３２及びステップＳ１３４で否定（ＮＯ）となる。したがって、リモコン（Ｃ）７０を用いた扉（Ａ）２ａまたは扉（Ｂ）９０の開錠・施錠はできず、記録媒体ユニットの取り出しもできない。
【０１４９】
なお、記録媒体ユニットがベイユニットに装着された時に、該記録媒体ユニットに記憶されたリモコンＩＤを読み出して、制御マイコンブロック６内の不揮発性メモリ６−１に記録する、第５の実施の形態における記録処理の手順は、図８に示した第２の実施の形態における記録処理の手順と同一である。この記録処理についての説明は割愛する。
【０１５０】
図２０は、第５の実施の形態において、リモコン（５０，６０，７０）で扉（Ａ、Ｂ）２ａ、９０の開錠指示を行なった後、イジェクトＳＷ（Ａ，Ｂ）４−２，５−２を操作した時に制御マイコンブロック６及びメインボード８で実行される記録媒体ユニット（２０，３０）の取り出し処理の手順を示すフローチャートである。
【０１５１】
なお、以下の説明では、イジェクトＳＷ（Ａ）４−２が操作され、ベイユニット（Ａ）４から記録媒体ユニット（Ａ）２０が取り出される場合を例に挙げて説明する。
【０１５２】
イジェクトＳＷ（Ａ）４−２が操作されて、ベイユニット（Ａ）４に装着されている記録媒体ユニット（Ａ）２０を取り出すように指示が有ると（ステップＳ１５０）、制御マイコンブロック６が通信バス１５を介してメインボード８に、ベイユニット（Ａ）４に装着されている記録媒体ユニット（Ａ）２０を取り出す指令を受けた旨を送信する（ステップＳ１５１）。
【０１５３】
ステップＳ１５２では、メインボード８が、記録媒体ユニット（Ａ）２０から開いているファイルを閉じる等の終了処理を行い、つぎのステップＳ１５３で、メインボード８は制御マイコンブロック６に、記録媒体ユニット（Ａ）２０の取り出しを行なってもよい旨の通知を行なう。
【０１５４】
この通知を受けた制御マイコンブロック６は液晶表示部３に、記録媒体ユニット（Ａ）２０の取り出しを行なう旨の表示を行い、信号制御ライン１３を介してベイユニット（Ａ）４に対して記録媒体ユニット（Ａ）２０の排出処理を行う（ステップＳ１５４）。そして、不揮発性メモリ６−１の領域６−１−３１に書き込まれていたデータを消去して（ステップＳ１５５）、本取り出し処理を終了する。
【０１５５】
第５の実施の形態でも、記録媒体ユニットに記録されたリモコンＩＤに対応するリモコンを該記録媒体ユニットの所有者が操作するようにすれば、共有で情報処理装置を使っても、上記のリモコンを持たない他の人が記録媒体ユニットを取り出してしまうようなことが無く、セキュリティの優れたシステムを提供できる。
【０１５６】
〔第６の実施の形態〕
次に、本発明の第６の実施の形態を説明する。
【０１５７】
第６の実施の形態の構成は、基本的に第５の実施の形態の構成と同じであるので、第６の実施の形態の説明においては、第５の実施の形態の構成と同一部分には同一の参照符号を付して、第５の実施の形態の説明を流用し、異なる部分だけを説明する。
【０１５８】
第６の実施の形態においては、図１０に示す第３の実施の形態における記録媒体ユニット８０のように、制御回路部８０−２内にＥＥＰＲＯＭなどからなる不揮発性メモリ８０−３を設け、この不揮発性メモリ８０−３にリモコンＩＤを記憶するようにする。そして、第６の実施の形態では、図１１に示す第３の実施の形態における記録処理と同一の記録処理を実行して、記録媒体ユニット８０がベイユニットに装着された時に、不揮発性メモリ８０−３からリモコンＩＤを読み出して制御マイコンブロック６内の不揮発性メモリ６−１に記録するようにする。
【０１５９】
図２１は、イジェクトＳＷが操作されて制御マイコンブロック６及びメインボード８で実行される記録媒体ユニット８０の取り出し処理の手順を示すフローチャートである。
【０１６０】
なお、以下の説明では、イジェクトＳＷ（Ａ）４−２が操作され、ベイユニット（Ａ）４から記録媒体ユニット８０が取り出される場合を例に挙げて説明する。
【０１６１】
イジェクトＳＷ（Ａ）４−２が操作されて、ベイユニット（Ａ）４に装着されている記録媒体ユニット８０を取り出すように指示が有ると（ステップＳ１８０）、ステップＳ１８１で、制御マイコンブロック６が通信バス１５を介してメインボード８に、ベイユニット（Ａ）４に装着されている記録媒体ユニット８０を取り出す指令を受けた旨を送信し、ステップＳ１８２で、この送信に対してメインボード８から、送信を受けた旨の返信があったか否かを判別する。返信があればステップＳ１８３へ進み、返信がなければステップＳ１８５へ進む。
【０１６２】
ステップＳ１８３では、メインボード８が、記録媒体ユニット８０の記憶媒体８０−１から開いているファイルを閉じる等の終了処理を行い、つぎのステップＳ１８４で、メインボード８は制御マイコンブロック６に、記録媒体ユニット８０の取り出しを行なってもよい旨の通知を行なう。
【０１６３】
この通知を受けた場合、または上記返信が無かった場合（メインボード８が稼動していない場合であり、この場合には上記の終了処理の実行は不要）、制御マイコンブロック６は液晶表示部３に、記録媒体ユニット８０の取り出しを行なう旨の表示を行い、信号制御ライン１３を介してベイユニット（Ａ）４に対して記録媒体ユニット８０の排出処理を行う（ステップＳ１８５）。そして、不揮発性メモリ６−１の領域６−１−３１に書き込まれていたデータを消去して（ステップＳ１８６）、本取り出し処理を終了する。
【０１６４】
第６の実施の形態において、記録媒体ユニットに記録されたリモコンＩＤに対応するリモコンを該記録媒体ユニットの所有者が操作するようにすれば、共有で情報処理装置を使っても、上記のリモコンを持たない他の人が記録媒体ユニットを取り出してしまうようなことが無く、セキュリティの優れたシステムを提供できる。
【０１６５】
なお、バックアップ電源部９−１が常時、制御マイコンブロック６やベイユニット４、５に供給されているので、メインボード８が稼動していなくても、制御マイコンブロック６やベイユニット４、５は動作可能である。
【０１６６】
〔第７の実施の形態〕
次に、本発明の第７の実施の形態を説明する。
【０１６７】
第７の実施の形態の構成は、基本的に第４の実施の形態の構成と同じであるので、第７の実施の形態の説明においては、第４の実施の形態の構成と同一部分には同一の参照符号を付して、第４の実施の形態の説明を流用し、異なる部分だけを説明する。
【０１６８】
第７の実施の形態では、記録媒体ユニット（Ａ）２０に、メインボード８用のＯＳ（オペレーションシステム）を格納して、記録媒体ユニット（Ａ）２０をシステムディスクとして働かせ、記録媒体ユニット（Ｂ）３０をデータディスクとして働かせるようにする。
【０１６９】
図２２及び図２３は、第７の実施の形態における制御マイコンブロック６によって実行されるセキュリティ処理の手順を示すフローチャートである。このセキュリティ処理は、図１８及び図１９に示す第５の実施の形態におけるセキュリティ処理と基本的に同じであるので、同一内容のステップには同一のステップ番号を付して、その説明を省略する。
【０１７０】
例えば、リモコン（Ａ）５０の開錠キーボタンスイッチ５１が操作された場合、ステップＳ１３１→ステップＳ１３２→ステップＳ１３９→ステップＳ２００へ進む。ステップＳ２００では、記録媒体ユニット（Ａ）２０に格納されたＯＳを使用して行なわれているメインボード８の動作を終了すべく終了処理を行い、ステップＳ２０１で、システムが停止するまで待機する。システムが停止して、システムディスクとして使われていた記録媒体ユニット（Ａ）２０がベイユニット（Ａ）４から抜き取られても問題がないようになったならば、ステップＳ１４０へ進んで、扉（Ａ）２ａの開錠処理を行ない、本セキュリティ処理を終了する。
【０１７１】
また例えば、リモコン（Ｂ）６０の開錠キーボタンスイッチ６１が操作された場合、ステップＳ１３１→ステップＳ１３２→ステップＳ１３４→ステップＳ１３５→ステップＳ２０２へ進む。ステップＳ１０２では、ベイユニット（Ａ）４に装着された記録媒体ユニット（Ｂ）３０（データディスク）の取り外し処理を行ない、取り外されても問題がないようになるまでステップＳ２０３で待機する。取り外し処理が終了して安全に取り外せるようになったならば、ステップＳ１３８に進んで、扉（Ｂ）９０の開錠処理を行い、本セキュリティ処理を終了する。
【０１７２】
このように、第７の実施の形態では、システムディスクとして使われている記録媒体ユニット（Ａ）２０は、システムが働いていて記録媒体ユニット（Ｂ）３０へのデータ読み書きの最中に扉（Ａ）２ａが開けられ、記録媒体ユニット（Ａ）２０が誤って抜かれて、記録媒体ユニット（Ｂ）３０の記録内容を壊してしまうことを防げ、システムの誤動作、停止等のトラブルが起きないようにすることができる。また、データディスクとして使われている記録媒体ユニット（Ｂ）３０は、開いているファイル等を終了させ、データアクセスを無くしてから扉（Ｂ）９０を開けることができるため、システムの暴走等を防ぎ、安全に情報処理装置本体１を動作させることができる。
【０１７３】
〔第８の実施の形態〕
次に、本発明の第８の実施の形態を説明する。
【０１７４】
第８の実施の形態の構成は、基本的に第７の実施の形態の構成と同じであるので、第８の実施の形態の説明においては、第７の実施の形態の構成と同一部分には同一の参照符号を付して、第７の実施の形態の説明を流用し、異なる部分だけを説明する。
【０１７５】
第８の実施の形態では、第７の実施の形態における情報処理装置本体１に記録媒体ユニットが何も装着されていない時の扉の施錠・開錠制御を提示する。
【０１７６】
図２４及び図２５は、第８の実施の形態における制御マイコンブロック６によって実行されるセキュリティ処理の手順を示すフローチャートである。このセキュリティ処理は、図２２及び図２３に示す第７の実施の形態におけるセキュリティ処理と基本的に同じであるので、同一内容のステップには同一のステップ番号を付して、その説明を省略する。
【０１７７】
第８の実施の形態では、いずれかのリモコンからドア制御命令、すなわち開錠制御信号または施錠制御信号が入力され、ステップＳ１３１で、肯定（ＹＥＳ）と判別されると、ステップＳ２０４に進んで、ベイユニット（Ａ）４またはベイユニット（Ｂ）５に記録媒体ユニットが装着されているか否を判別する。この判別は、図１７に示す不揮発性メモリ６−１の領域６−１−３０にリモコンＩＤが登録されているか否かによって行なう。リモコンＩＤが登録されていればステップＳ１３２へ進み、登録されていなければステップ２０５へ進む。
【０１７８】
ステップＳ２０５では、開錠制御信号が入力されたか否かを判別し、開錠制御信号が入力されていればステップＳ２０６へ、施錠制御信号が入力されていればステップＳ２０７へ進む。
【０１７９】
ステップＳ２０６では、扉（Ａ）２ａ及び扉（Ｂ）９０の開錠処理をして本セキュリティ処理を終了する。
【０１８０】
ステップＳ２０７では、扉（Ａ）２ａ及び扉（Ｂ）９０の施錠処理をして本セキュリティ処理を終了する。
【０１８１】
以上のように、第８の実施の形態では、情報処理装置本体１に記録媒体ユニットが装着されていない場合に、どのリモコンからでも扉（Ａ）２ａ及び扉（Ｂ）９０の開錠、施錠制御ができ、したがって、ベイユニット（Ａ）４またはベイユニット（Ｂ）５に記録媒体ユニットが装着されていない時に、扉（Ａ）２ａ及び扉（Ｂ）９０に施錠しておき、リモコンを所持していない人が情報処理装置本体１に、勝手に記録媒体ユニットを装着して使用したり、情報処理装置本体１に対していたずらをされたりしないようにすることができる。
【０１８２】
〔他の実施の形態〕
上記の各実施の形態において、他の部署に設置されている同型の情報処理装置に、自分が所有する記録媒体ユニットを持って行って装着して使用しても、同様に着脱や扉の施錠・開錠管理が行えるため、きわめて安全で利便性の良いシステムを提供できる。
【０１８３】
また、上記各実施の形態において、リモコンで着脱制御する記録媒体ユニットは１つに限らず、複数個の記録媒体ユニットに対して同じリモコンＩＤを登録しておけば、１つのリモコンで複数個の記録媒体の着脱制御を行うことができる。その場合には、リモコンに対する１回のキー操作で、該当する複数の記録媒体ユニットが装着されているベイユニット全てを制御対象にする（イジェクト操作ができるようにする）ようにしてもよく、また、情報処理装置に設けられた液晶表示部３を利用して、制御対象のベイユニットをリモコンの方向指示キー等を用いて選択させるように図ってもよい。
【０１８４】
また、上記各実施の形態において、開錠・施錠指示をリモコンで行なっているが、磁気カードやＩＣカード等に記録媒体ユニットとの関連付け情報を記憶させ、これらのカードによって記録媒体ユニットの所持者であることを認証させた後に、液晶表示部３を使用して開錠・施錠操作を行なうようにしてもよい。さらには指紋認証システムを用いて指紋の特徴抽出データを使用したり、パスワード等のデータを液晶表示部３のタッチパネルから入力させるようにしたりしてもよい。
【０１８５】
なお、本発明の目的は、前述した各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【０１８６】
この場合、記憶媒体から読み出されたプログラムコード自体が本発明の新規な機能を実現することになり、そのプログラムコードを記憶した記憶媒体およびプログラムは本発明を構成することになる。
【０１８７】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【０１８８】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０１８９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【図面の簡単な説明】
【０１９０】
【図１】第１の実施の形態に係る情報処理装置の外観を示す図である。
【図２】情報処理装置本体のシステム構成を示すブロック図である。
【図３】制御マイコンブロック内の不揮発性メモリの記憶領域の構成を示す図である。
【図４】第１の実施の形態における制御マイコンブロックによって実行されるセキュリティ処理の手順を示すフローチャート（１／２）である。
【図５】第１の実施の形態における制御マイコンブロックによって実行されるセキュリティ処理の手順を示すフローチャート（２／２）である。
【図６】第２の実施の形態における不揮発性メモリの記憶領域の構成を示す図である。
【図７】第２の実施の形態における制御マイコンブロック６によって実行されるセキュリティ処理の手順を示すフローチャートである。
【図８】記録媒体ユニットがベイユニットに装着された時に、該記録媒体ユニットに記憶されたリモコンＩＤを読み出して、制御マイコンブロック内の不揮発性メモリに記録する記録処理の手順を示すフローチャートである。
【図９】リモコンで扉の開錠指示を行なった後、イジェクトＳＷを操作した時に制御マイコンブロック及びメインボードで実行される記録媒体ユニットの取り出し処理の手順を示すフローチャートである。
【図１０】第３の実施の形態における記録媒体ユニットの構成を示す図である。
【図１１】第３の実施の形態における記録媒体ユニットがベイユニットに装着された時に、不揮発性メモリからリモコンＩＤを読み出して制御マイコンブロック内の不揮発性メモリに記録する記録処理の手順を示すフローチャートである。
【図１２】第４の実施の形態に係る情報処理装置の外観を示す図である。
【図１３】第４の実施の形態における情報処理装置本体のシステム構成を示すブロック図である。
【図１４】第４の実施の形態における制御マイコンブロック内の不揮発性メモリの記憶領域を示す図である。
【図１５】第４の実施の形態における制御マイコンブロックによって実行されるセキュリティ処理の手順を示すフローチャート（１／２）である。
【図１６】第４の実施の形態における制御マイコンブロックによって実行されるセキュリティ処理の手順を示すフローチャート（２／２）である。
【図１７】第５の実施の形態における不揮発性メモリの記憶領域の構成を示す図である。
【図１８】第５の実施の形態における制御マイコンブロックによって実行されるセキュリティ処理の手順を示すフローチャート（１／２）である。
【図１９】第５の実施の形態における制御マイコンブロックによって実行されるセキュリティ処理の手順を示すフローチャート（２／２）である。
【図２０】第５の実施の形態において、リモコンで扉の開錠指示を行なった後、イジェクトＳＷを操作した時に制御マイコンブロック及びメインボードで実行される記録媒体ユニットの取り出し処理の手順を示すフローチャートである。
【図２１】イジェクトＳＷが操作されて制御マイコンブロック及びメインボードで実行される記録媒体ユニットの取り出し処理の手順を示すフローチャートである。
【図２２】第７の実施の形態における制御マイコンブロックによって実行されるセキュリティ処理の手順を示すフローチャート（１／２）である。
【図２３】第７の実施の形態における制御マイコンブロックによって実行されるセキュリティ処理の手順を示すフローチャート（２／２）である。
【図２４】第８の実施の形態における制御マイコンブロックによって実行されるセキュリティ処理の手順を示すフローチャート（１／２）である。
【図２５】第８の実施の形態における制御マイコンブロックによって実行されるセキュリティ処理の手順を示すフローチャート（２／２）である。
【符号の説明】
【０１９１】
１  情報処理装置本体（情報処理装置）
２  扉（離脱手段）
２−１  ラッチ（離脱手段）
２−３  電子ロック機構（離脱手段）
２ａ  扉（Ａ）
４  ベイユニット（Ａ）（離脱手段）
４−２  イジェクトＳＷ（Ａ）（離脱手段）
５  ベイユニット（Ｂ）（離脱手段）
５−２  イジェクトＳＷ（Ｂ）（離脱手段）
６  制御マイコンブロック（格納手段、判別手段、制御手段）
６−１  不揮発性メモリ（格納手段）
７  受光部
８  メインボード
９  電源部
２０  記録媒体ユニット（Ａ）（情報記録媒体）
３０  記録媒体ユニット（Ｂ）（情報記録媒体）
５０  リモコン（Ａ）（指令送出手段）
６０  リモコン（Ｂ）（指令送出手段）
７０  リモコン（Ｃ）（指令送出手段）
８０  記録媒体ユニット（情報記録媒体）
９０  扉（Ｂ）
【図１】
2005301605.tif 000003
【図２】
2005301605.tif 000004
【図３】
2005301605.tif 000005
【図４】
2005301605.tif 000006
【図５】
2005301605.tif 000007
【図６】
2005301605.tif 000008
【図７】
2005301605.tif 000009
【図８】
2005301605.tif 000010
【図９】
2005301605.tif 000011
【図１０】
2005301605.tif 000012
【図１１】
2005301605.tif 000013
【図１２】
2005301605.tif 000014
【図１３】
2005301605.tif 000015
【図１４】
2005301605.tif 000016
【図１５】
2005301605.tif 000017
【図１６】
2005301605.tif 000018
【図１７】
2005301605.tif 000019
【図１８】
2005301605.tif 000020
【図１９】
2005301605.tif 000021
【図２０】
2005301605.tif 000022
【図２１】
2005301605.tif 000023
【図２２】
2005301605.tif 000024
【図２３】
2005301605.tif 000025
【図２４】
2005301605.tif 000026
【図２５】
2005301605.tif 000027